(57)【要約】【課題】特定の地域だけで好まれる地域特有の調理メニューや地域でよく流通している米種を反映したメニューを搭載した炊飯器を提供する。【解決手段】炊飯器本体と、炊飯器本体の内部に収納され米と水を入れる鍋と、鍋の上部開口部を開閉自在に覆う外蓋と、鍋を加熱する加熱手段と、表示手段と、操作手段と、記憶手段と、搭載メニューを設定する搭載メニュー設定手段を備え、搭載メニュー設定手段は操作手段内に設けた複数のスイッチ操作の組み合わせで構成され、搭載メニュー設定手段による設定状態を記憶手段に記録し、記録された設定状態で動作するようにする。このような構成とすることにより、特定の地域だけで好まれる地域特有の調理メニューや地域でよく流通している米種を反映したメニューを搭載することが可能となる。【選択図】図１
2013202162.tif 000002
【特許請求の範囲】
【請求項１】
炊飯器本体と、前記炊飯器本体の内部に収納され米と水を入れる鍋と、前記鍋の上部開口部を開閉自在に覆う外蓋と、前記鍋を加熱する加熱手段と、表示手段と、操作手段と、記憶手段と、搭載メニューを設定する搭載メニュー設定手段を備え、前記搭載メニュー設定手段は前記操作手段内に設けた複数のスイッチ操作の組み合わせで構成され、前記搭載メニュー設定手段による設定状態を前記記憶手段に記録し、記録された設定状態で動作する機能を有する炊飯器。
【請求項２】
各負荷を任意に動作させる負荷動作モードを備え、前記搭載メニュー設定手段による設定状態を、前記負荷動作モードで表示する機能を有する請求項１に記載の炊飯器。
【発明の詳細な説明】
【技術分野】
【０００１】
本発明は、使用する地域を設定できる炊飯器に関するものである。
【背景技術】
【０００２】
一般に、商品として流通している米は日本産米をはじめとする短粒米が殆どであり、炊飯器の多くはこの短粒米を対象としている。ところが米の自由化により海外からの輸入米が国内に入って来るようになり、一般家庭でも外国産米を食する機会も出てきている。そこで、単一種の外国産米や複数種の外国産米のブレンド米、あるいは日本米に外国産米をブレンドした米の炊飯を良好に行うことができる炊飯器が提案されている（例えば、特許文献１参照）。
【０００３】
また、外国産米選択スイッチにより外国産米の種類を選択するとともに、各種炊飯メニュー選択スイッチにより炊飯メニューを選択する操作により、外国産米の種類に応じたおいしいご飯が炊けるとともに、外国産米の種類に応じた各種の炊き方（例えば、早炊き、炊き込み、おこわ、お粥等）ができるようなものもある（例えば、特許文献２参照）。
【先行技術文献】
【特許文献】
【０００４】
【特許文献１】特開２００７−３２７号公報
【特許文献２】特開平７−２６５１９９号公報
【発明の概要】
【発明が解決しようとする課題】
【０００５】
しかしながら、このような従来の構成では、炊飯器に搭載されるメニューは、日本国内を含めて様々な地域を想定して最大公約数的に多くなる。例えば炊飯メニューの場合、搭載メニューの中から炊飯しようとしている米の種類を選択し、選択された米の種類に応じた最適な炊飯シーケンスで炊飯する。炊飯器に搭載されるメニューは使用される地域をごとに替えるのではなく、ほぼ一律的に同一メニューが搭載されていた。なぜなら、メニューを表示する表示部のスペース的な制限があり、搭載メニューの上限は決まってくる。その結果、特定の地域でよく使用されるメニューについては採用しにくく、地域特有の調理メニューを個別に反映しにくいという課題があった。
【課題を解決するための手段】
【０００６】
本発明は上記目的を達成するために、炊飯器本体と、前記炊飯器本体の内部に収納され米と水を入れる鍋と、前記鍋の上部開口部を開閉自在に覆う外蓋と、前記鍋を加熱する加熱手段と、表示手段と、操作手段と、記憶手段と、搭載メニューを設定する搭載メニュー設定手段を備え、前記搭載メニュー設定手段は前記操作手段内に設けた複数のスイッチ操作の組み合わせで構成され、前記搭載メニュー設定手段による設定状態を前記記憶手段に記録し、記録された設定状態で動作するよう構成したものである。
【０００７】
これにより、使用する地域に適したメニューを搭載した炊飯器を容易に実現することが出来る。その結果、新たな構成を追加することなく、地域に応じたメニュー搭載の炊飯器を提供することが出来る。
【発明の効果】
【０００８】
本発明の炊飯器は、表示手段の限られた表示面積を有効に活用することが出来、一般的なメニューだけでなく、特定の地域だけで好まれる地域特有の調理メニューや地域でよく流通している米種を反映したメニューを搭載ることが出来るので、より地域に密着した様々なニーズに対応した炊飯器を提供することが出来る。
【図面の簡単な説明】
【０００９】
【図１】本発明の実施の形態１における炊飯器のブロック図
【図２】本発明の実施の形態１における炊飯器の断面図
【図３】本発明の実施の形態１における表示手段の実施例１
【図４】本発明の実施の形態１における表示手段の実施例２
【発明を実施するための形態】
【００１０】
第１の発明は、炊飯器本体と、前記炊飯器本体の内部に収納され米と水を入れる鍋と、前記鍋の上部開口部を開閉自在に覆う外蓋と、前記鍋を加熱する加熱手段と、表示手段と、操作手段と、記憶手段と、搭載メニューを設定する搭載メニュー設定手段を備え、前記搭載メニュー設定手段は前記操作手段内に設けた複数のスイッチ操作の組み合わせで構成され、前記搭載メニュー設定手段による設定状態を前記記憶手段に記録し、記録された設定状態で動作する機能を有する構成としたものであり、限られた表示面積を有効に活用することが出来、一般的なメニューだけでなく、特定の地域だけで好まれる地域特有の調理メニューや地域でよく流通している米種を反映したメニューを搭載ることが出来るので、より地域に密着した様々なニーズに対応した炊飯器を提供することが出来る。
【００１１】
第２の発明は、上記第１の発明において、各負荷を任意に動作させる負荷動作モードを備え、前記搭載メニュー設定手段による設定状態を、前記負荷動作モードで表示する機能を有する構成としたものであり、前記搭載メニュー設定手段による設定状態が、負荷動作モードで表示手段に表示されているので、設定状態が正しいかどうかを容易に確認できる炊飯器を提供することが出来る。その結果、ジャー炊飯器の製造時に、搭載メニューの設定誤りを容易に発見することが出来る。
【００１２】
（実施の形態１）
図１は、本発明の実施の形態１における炊飯器のブロック図を示し、図２は、同炊飯器の断面図を示すものである。
【００１３】
図２に示すように、炊飯器本体１は、内部に米と水を入れる鍋２を着脱自在に収納し、この鍋２はステンレス、鉄などの磁性体によって形成している。鍋２の上部開口部を外蓋５で開閉自在に覆っている。加熱コイル（加熱手段）３は、鍋２の底面外側に配設し、高周波電源から供給される高周波電流により交番磁界を発生し、この交番磁界で鍋２を誘導加熱している。加熱コイル３の巻線方向に対して、その巻線方向がほぼ直交するように、高透磁性の磁性材料で形成したフェライト（図示せず）を加熱コイル３の外側近傍に配置している。フェライトは、加熱コイル３による磁界が炊飯器本体１の外部へ漏れるのを防止するとともに、鍋２への誘導加熱を促進する。
【００１４】
ここで鍋２への加熱方法が誘導加熱による場合について述べているが、鍋２への加熱方法がシーズヒータによるものであっても本発明の効果については何ら変わることは無い。
【００１５】
鍋温度センサ６は鍋２の温度を検知するもので、サーミスタで構成し、その抵抗値により鍋２の温度を検知している。制御基板７は、図１に示す制御手段１１と電力供給手段１２とを有し、制御手段１１は、鍋温度センサ６の出力と、炊飯開始スイッチ２１からの入力信号と、メニュー選択手段４からの入力信号と搭載メニュー設定手段２４からの入力信号とを入力している。搭載メニュー設定手段２４は、操作部２２内に設けた複数のスイッチ操作の組み合わせで構成され、保温実施時の安定状態のごはん温度を設定するようにしている。
【００１６】
また制御手段１１は、不揮発性記憶手段１３に記録されているデータを読み込み、データが記録されている時には、記録されたデータを反映して制御するようにしている。
【００１７】
また、制御基板７は、電力供給手段１２を構成する高周波電源と加熱コイル３との間に設けたＩＧＢＴ等の半導体パワー素子のスイッチングにより、加熱コイル３へ高周波電流を供給し、スイッチング周波数によって供給電力を制御できるようにし、加熱コイル３の加熱量を制御して鍋２を加熱し、鍋２内の米と水を炊飯するよう構成している。
【００１８】
ここで鍋２への加熱方法が誘導加熱による場合について述べているが、鍋２への加熱方法がシーズヒータによるものであっても本発明の効果については何ら変わることは無い。
【００１９】
その場合、制御手段１１と電力供給手段１２は、シーズヒータとの間に設けたリレー等のスイッチングによりヒータを通電させて鍋２を加熱し、鍋２内の米と水を炊飯するよう構成する。
【００２０】
表示手段２７は、使用者がメニュー選択手段４により選択したメニューの選択状態を表示するもので、ＬＣＤ２８あるいはＬＥＤ３０を有し、少なくとも２つ以上ある炊飯メニューの中から選択した炊飯メニューを表示するようにしている。
【００２１】
ここで表示手段２７の構成について述べているが、ＬＣＤ２８とＬＥＤ３０の両方を有していても本発明の効果については何ら変わることは無い。
【００２２】
また、ブザーで構成した報知手段（図示せず）を備え、操作部２２において炊飯開始スイッチ２１を受け付けた時や、炊飯終了時に鳴動するようにしている。
【００２３】
ここで報知手段の構成について述べているが、報知手段を有していなくても本発明の効果については何ら変わることは無い。
【００２４】
上記構成においては、ＬＣＤ２８と表示エリア２９を用いて表示手段２７を構成した場合について記載しているが、メニュー名を文字で直接ＬＣＤ２８に表示し、表示エリア２９にはメニュー名を記載しないか、もしくは選択可能なメニューの一部を表示する構成としても良い。
【００２５】
また、メニューの全部または一部をＬＥＤ３０と表示エリア２９を用いて表示する構成としても良い。
【００２６】
上記構成において動作、作用を説明する。搭載メニュー設定手段２４により搭載メニューが設定されると、不揮発性記憶手段１３に設定状態が記憶される。制御手段１１にあらかじめ記憶されているメニューの中から不揮発性記憶手段１３に記録されている設定状態に応じたメニューを呼び出し、そのメニューのみが選択可能となる。
【００２７】
ＬＣＤ２８には、搭載メニュー設定手段２４による設定内容に応じて呼び出されるメニューに対応した表示キャラクタが、表示される。
【００２８】
第３図に搭載メニューを変更してもメニュー表示キャラクタの場所を変えない場合の表示例を、第４図に各メニュー毎に表示キャラクタの位置を決めておき、設定した搭載メニューに応じた位置に表示キャラクタを表示する場合の表示例を示す。
【００２９】
ここで、ＬＣＤ２８には黒い三角の印を使用してメニューを表現しているが、メニュー名をＬＣＤ２８に表示する構成としても良い。
【００３０】
例えば、第３図において、搭載メニュー設定手段２４により搭載メニューを設定した場合、あらかじめ制御手段１１に記憶されているメニューを呼び出し、メニュー選択手段４によりメニューＡ、メニューＢ、メニューＣ、メニューＤ、メニューＥ、メニューＦ、メニューＧ、メニューＨが選択可能となる。そしてメニュー選択時には、選択メニューに対応した表示キャラクタがＬＣＤ２８に表示される。そしてＬＣＤ２８の表示キャラクタの位置に対応する表示エリア２９の場所にメニュー名を表示し、選択メニューを表現している。
【００３１】
次に、第４図において、搭載メニュー設定手段２４により、搭載メニューを設定した場合、あらかじめ制御手段１１に記憶されている搭載メニューを呼び出し、メニュー選択手段４によりメニューＡ１、メニューＢ１、メニューＣ２、メニューＤ２、メニューＥ１、メニューＦ２、メニューＧ２、メニューＨ１が選択可能となる。そして、メニュー選択時には、選択メニューに対応した表示キャラクタがＬＣＤ２８に表示される。そしてＬＣＤ２８の表示キャラクタの位置に対応する表示エリア２９の場所にメニュー名を表示し、選択メニューを表現している。
【００３２】
このように、あらかじめ搭載メニュー設定手段２４で設定できるメニューを制御手段１１に記憶させておけば、搭載メニュー設定手段２４の設定のみで、限られた表示面積を有効に活用することが出来、搭載メニューの異なる炊飯器を何種類も実現することが出来る。そうすることにより、一般的なメニューだけでなく、特定の地域だけで好まれる地域特有の調理メニューや地域でよく流通している米種を炊飯するのに最適なメニューも搭載ることが出来るので、より地域に密着した様々なニーズに対応した炊飯器を提供することが出来る。
【００３３】
加えて、表示エリア２９のみを調整するだけで、ＬＣＤ２８、マイコンを地域により変更する必要がないので、１種類の基板で、複数の地域向けの炊飯器を実現することが出来る。その結果、新規投資を大幅に抑えることが出来る上に、炊飯器を生産する時の管理部品も減少することが出来るので、炊飯器開発、炊飯器生産に関わるコストを大幅に抑えることが出来る。その結果、炊飯器の単価を下げることが出来るので、お客様に安価に炊飯器を提供することが出来る。
【００３４】
（実施の形態２）
各負荷を任意に動作させる負荷動作モードを備え、前記搭載メニュー設定手段２４による設定状態を、前記負荷動作モードで表示する様にしている。ここで表示の方法は、各モードでＬＥＤを点灯させても良いし、ＬＣＤ２８に設定状態を表示しても良い。
【００３５】
完成基板の製造時、基板が正常に動作することを検査して、検査に合格したものだけを炊飯器の組立に使用している。通常、上記検査は負荷動作モードを使用して動作チェックを行っている。
【００３６】
上記負荷動作モードにおいて、搭載メニュー設定を実施し、その後正常に動作することをチェックすれば、搭載メニューの設定と設定状態の検査を容易に、かつ確実に実施することが出来る。
【００３７】
これら一連の作業を検査機による検査フローの中で実施することが出来るので、使用する基板は１種類でありながら、完成基板としては複数の種類の完成基板を製造することが出来る。その結果、基板製造時の切り替えを減らすことが出来、効率的に基板を生産することが出来る。
【００３８】
また搭載メニュー設定状態を検査終了時に完成基板の見やすい場所に表示あるいはマーキングするようにしても良い。そうすれば、通電しなくても完成基板単体で搭載メニューの設定状態を確認できるので、完成基板の誤使用を未然に防止することが出来る。
【００３９】
また、負荷動作モードにおいて、設定状態を表示手段に表示するようにしているので、炊飯器の動作チェック時に、完成基板の使用間違いを発見することが出来、搭載メニューの設定を間違った炊飯器の市場流出を未然に防止することが出来る。
【産業上の利用可能性】
【００４０】
以上のように、本発明にかかる炊飯器は、限られた表示面積を有効に活用することが出来、一般的なメニューだけでなく、特定の地域だけで好まれる地域特有の調理メニューや地域でよく流通している米種を反映したメニューを搭載ることが出来るので、より地域に密着した様々なニーズに対応した炊飯器として有用である。
【符号の説明】
【００４１】
１  炊飯器本体
２  鍋
３  加熱コイル
４  メニュー選択手段
５  外蓋
６  鍋温度センサ
７  制御基板
１１  制御手段
１２  電力供給手段
１３  不揮発性記憶手段
２１  炊飯開始スイッチ
２２  操作部
２４  搭載メニュー設定手段
２７  表示手段
【図１】
2013202162.tif 000003
【図２】
2013202162.tif 000004
【図３】
2013202162.tif 000005
【図４】
2013202162.tif 000006